(57)【特許請求の範囲】
【請求項１】
洗浄タンク内部に立設したオーバーフロー管の上部を固定部材により該洗浄タンクの壁部に固定し、且つ該固定部材を、前記オーバーフロー管の上端部に装着され、前記洗浄タンク内部に配設されたボールタップからの水を便器への補給水として前記オーバーフロー管に導入する補給水管の先端部を保持するホルダにて構成したことを特徴とする洗浄タンク装置。
【発明の詳細な説明】
【０００１】
【発明の属する技術分野】
この発明は便器の洗浄水を内部に収容する洗浄タンク装置に関し、詳しくは洗浄タンク内部にオーバーフロー管を備えた洗浄タンク装置に関する。
【０００２】
【従来の技術】
従来より、この種洗浄タンク装置として図１０に示すようなものが用いられている。
同図において２００は洗浄タンクで、その上部に蓋を兼用した手洗鉢２０２が設けられている。この手洗鉢２０２からは手洗吐水管２０４が起立する形態で設けられている。
手洗吐水管２０４からの手洗水は手洗鉢２０２に落下した後、手洗鉢２０２の底部の排水孔を通じて洗浄タンク２００内部に落下する。
【０００３】
２０６は洗浄タンク２００内部に配設されたボールタップで、浮玉２０８の昇降に連動して給水及び給水停止を行う。
即ち、浮玉２０８が下降するとボールタップ２０６の弁部が開かれて吐水管２１０を通じ洗浄タンク２００内部に給水が行われる。
また一方洗浄タンク２００内部の水面の上昇につれて浮玉２０８が上昇し、そしてその水面が満水状態になると、ボールタップ２０６の弁部が閉じて給水を停止する。
【０００４】
このボールタップ２０６からはまた、蛇腹管から成る導水管（図示省略）が延び出していて、その先端部が手洗吐水管２０４に接続され、洗浄タンク２００への給水時に、併せてこの導水管を通じて手洗吐水管２０４への給水が行われる。
【０００５】
洗浄タンク２００の底部にはフロート弁（排水弁）２１４が設けられている。
このフロート弁２１４は球状の弁体２１６と、弁座２１８とを有しており、その弁体２１６に対して、洗浄タンク２００の壁部２００Ａに設けられた洗浄ハンドル２２０と一体に回転するＬ字状の作用レバー２２２の先端部が、鎖２２４を介して連結されている。
而してこのフロート弁２１４は、洗浄ハンドル２２０が回転操作されると弁体２１６が弁座２１８から浮き上がって弁部を開放し、ここにおいて洗浄タンク２００内の洗浄水が排出口２２６を通じて便器に向け放出される。
【０００６】
この例においては、フロート弁２１４における弁体２１６の上側に水受カップ２２８が一体に昇降する状態で連設されている。
ここで水受カップ２２８は大洗浄及び小洗浄切替用のもので、この水受カップ２２８内部が空の状態の下では、弁体２１６が弁座２１８に着座して弁部を閉じるまでの時間が長く、従ってこの間に排出口２２６から洗浄水が大量に放出される。
【０００７】
一方水受カップ２２８内部に水が溜まった状態の下では、水受カップ２２８が錘としての作用をなし、これによって弁座２１８から浮き上がった状態の弁体２１６が速やかに下降して弁座２１８に着座する。従ってこの場合には洗浄水の放出量が少なくなる。
尚この水受カップ２２８は、オーバーフロー管２３０をガイドとして弁体２１６とともに昇降案内される。
【０００８】
この例の洗浄タンク装置においては、ボールタップ２０６から補給水管２３２が延び出しており、この補給水管２３２を通じてオーバーフロー管２３０内に補給水を導入できるようになしてある。
【０００９】
このようにボールタップ２０６からの水を補給水としてオーバーフロー管２３０内に導入するようになしているのは次のような理由による。
即ちサイホン式便器の場合には、洗浄タンク２００内に収容された洗浄水を放出して便器洗浄を行ったとき、便器の排水トラップ部分の溜水がサイホン現象によって一挙に下流側に排出される。
そこで次にオーバーフロー管２３０及び排出口２２６を通じて便器内部の排水トラップ部分に補給水を供給することで、排水トラップ部分での封水切れを防止するようになしているのである。
【００１０】
【発明が解決しようとする課題】
図１０に示しているように、従来にあってはオーバーフロー管２３０がフロート弁２１４における弁座２１８と一体的に構成されており、そのオーバーフロー管２３０が弁座２１８から立ち上がる形態で設けられていた。
即ち、従来にあってはオーバーフロー管２３０の上端部がいわばフリーの状態にあり、これに起因して弁体２１６の昇降動作の際などにオーバーフロー管２３０がぐらつき易いといった問題があった。
【００１１】
特にオーバーフロー管２３０が弁座２１８と別体に構成され、そしてその下端部が洗浄タンク２００の底部に形成された差込孔に単に差し込まれているだけである場合にこの傾向が特に顕著である。
【００１２】
而してこの差込式のオーバーフロー管２３０の場合、通常Ｏリングを介して洗浄タンク２００底部の差込孔に差込固定されているが、この形態のオーバーフロー管２３０の場合、その全体がぐらつくと底部の差込孔への差込部分でシールが不確実となって、そこから漏水を起す恐れが生ずる。
【００１３】
【課題を解決するための手段】
本発明の洗浄タンク装置はこのような課題を解決するために案出されたものである。
而して請求項１のものは、洗浄タンク内部に立設したオーバーフロー管の上部を固定部材により該洗浄タンクの壁部に固定し、且つ該固定部材を、前記オーバーフロー管の上端部に装着され、前記洗浄タンク内部に配設されたボールタップからの水を便器への補給水として前記オーバーフロー管に導入する補給水管の先端部を保持するホルダにて構成したことを特徴とする。
【００１４】
【作用及び発明の効果】
上記のように本発明は、オーバーフロー管の上部を固定部材により洗浄タンクの壁部に固定するようになしたもので、かかる本発明によれば、オーバーフロー管を洗浄タンク内部においてしっかりと起立した状態に保持することができ、オーバーフロー管が洗浄タンク内部でぐらつくのを良好に防止することができる。
【００１５】
従って特にオーバーフロー管が下端部において洗浄タンク底部の差込孔内に差込固定されている形態のものである場合、オーバーフロー管のぐらつきに起因してその差込部分において漏水を生じるのを効果的に防止することができる。
【００１６】
本発明では、オーバーフロー管の上端部に装着され、ボールタップからの水を便器への補給水としてオーバーフロー管内に流し込む補給水管の先端部を保持するためのホルダにて上記固定部材を構成する。
このようにすることでそのホルダにより固定部材を兼用させることができ、洗浄タンク装置における必要部品点数を少なくし得て、全体のコストを低減することができる。
【００１７】
【実施例】
次に本発明の実施例を図面に基づいて詳しく説明する。
図１及び図２において、１０は洗浄タンクで陶器製のアウタータンク１２と、その内側の樹脂製のインナータンク１４との二重タンク構造をなしている。
【００１８】
アウタータンク１２の上部には、その蓋を兼用した陶器製の手洗鉢１６が設けられており、この手洗鉢１６から手洗吐水管１８が起立する形態で設けられている。
手洗鉢１６の底部には排水孔２０が設けられており、手洗吐水管１８から手洗鉢１６に落下した水が、この排水孔２０から洗浄タンク１０内部へと落下する。
【００１９】
洗浄タンク１０の内部には、ボールタップ２２が配設されている。
このボールタップ２２は、弁部が連動アーム２４を介して浮玉２６に連結されており、浮玉２６の昇降によって弁部を開閉し、その弁部の開閉によって洗浄タンク１０内への給水及び給水停止を行う。
【００２０】
ここで浮玉２６における図２中上側の面、即ちインナータンク１４における後壁部１４Ａ側の面２６Ａは、その後壁部１４Ａの内面に沿った形状をなしており、その面２６Ａが後壁部１４Ａの内面に近接して位置させられている。
浮玉２６は、後壁部１４Ａと後壁部１４Ａ側の面２６Ａとをガイドとして昇降動作する。
【００２１】
図１に示しているように、ボールタップ２２には洗浄タンク１０内に給水を行うための吐水口２８が設けてあり、更にこのボールタップ２２からは手洗吐水管１８に給水を行うための蛇腹管から成る導水管３０が延び出していて、その先端部が手洗吐水管１８に差込接続されている。
【００２２】
洗浄タンク１０の底部には、フロート弁（排水弁）３２が配設されている。
このフロート弁３２は、球状の弁体３４と弁座３６とを有しており、その弁体３４が弁座３６から浮き上がることによって排出口３８を開放し、また弁体３４が弁座３６に着座することによって排出口３８を閉鎖する。
【００２３】
一方洗浄タンク１０の側壁部には、洗浄ハンドル４０が回転可能に取り付けられている。
この洗浄ハンドル４０からはＬ字状をなす作用レバー４２が、図２に示しているように洗浄タンク１０内部に延び出しており、その先端とフロート弁３２の弁体３４とが、図示を省略する鎖によって水受カップ４４を介し連結されている。
【００２４】
ここで水受カップ４４は、内部に水を溜めたり或いは空にすることによって大洗浄と小洗浄とを切り替える作用をなすもので、弁体３４と一体に昇降するようになっている。
図１に示しているようにこの水受カップ４４には円筒部４６が設けられていて、その円筒部４６がオーバーフロー管４８に上下摺動可能に外嵌されている。
水受カップ４４及び弁体３４は、これら円筒部４６及びオーバーフロー管４８の案内の下に昇降する。
【００２５】
尚、図１に示しているように洗浄タンク１０の底部にはオーバーフロー管４８内部と排出口３８とを連通させる連通路５０が形成されており、オーバーフロー管４８からの水は、この連通路５０を経由して排出口３８から排出される。
【００２６】
本例において、オーバーフロー管４８はフロート弁３２における弁座３６とは別体に構成されており、そしてその下端部が洗浄タンク１０の底部に形成された差込孔７６内部に差込固定されている。
詳しくは、このオーバーフロー管４８の下端部外周面にはシール材としてＯリングが装着されており、そのＯリングを介してオーバーフロー管４８の下端部が、洗浄タンク１０における底部の差込孔７６内部に差込固定されている。
【００２７】
図１及び図２に示しているように、ボールタップ２２からは補給水をオーバーフロー管４８内部に給水するための補給水管５２が延び出している。
一方オーバーフロー管４８の上端部には、図３〜図６に示しているように補給水管５２の先端部を保持するホルダ（固定部材）５４が装着されている。
ホルダ５４は本例では樹脂製の部材であって、弾性クリップ５６と、それぞれ筒状をなす第１ホルダ部５８，第２ホルダ部６０とを一体に有している。
【００２８】
弾性クリップ５６は、円管状をなすオーバーフロー管４８の内外両面に沿って回曲する形状をなし、それぞれオーバーフロー管４８の内面と外面とに位置してオーバーフロー管４８の上端部を内外両側から挟持する弾性挟持片６２，６４と、それらを上端部で連結する連結部６６とを有しており、この弾性クリップ５６がオーバーフロー管４８の上端部に下向きに差し込まれることで、ホルダ５４全体がオーバーフロー管４８の上端部に装着される。
【００２９】
一方第１ホルダ部５８及び第２ホルダ部６０は、それぞれ上記補給水管５２の先端部に嵌り合ってこれを保持するものであり、そして第１ホルダ部５８が補給水管５２からの補給水をオーバーフロー管４８内部に給水する位置に、また第２ホルダ部６０が補給水管５２からの補給水をオーバーフロー管４８の外部であって、洗浄タンク１０内部に給水する位置にそれぞれ配置されている。
【００３０】
ここで第２ホルダ部６０は、図６，図７（Ｂ）及び（Ｃ）に示しているようにその下端の開口６０Ａが、第１ホルダ部５８の下端の開口５８Ａよりも高位置とされている。
即ち、第２ホルダ部６０の下端の開口６０Ａがオーバーフロー管４８の上端よりも高位置であり、従って洗浄タンク１０内の満水状態の洗浄水の水面との間で絶縁されており、誤って洗浄タンク１０内の洗浄水が第２ホルダ部６０を通じて補給水管５２内に逆流しないように配慮されている。
【００３１】
図４〜図７に示しているように、第２ホルダ部６０の下側にはほぼ垂直に立ち下がる板状の案内片６８が形成されている。
この案内片６８は、第２ホルダ部６０の下端の開口６０Ａから流下した水を自身に沿って流下させて静かに洗浄タンク１０内部に流入させ、以って消音作用をなすものである。
【００３２】
ホルダ５４は、この案内片６８の下端部に続いて筒状（この例では四角筒状）の結合リング７０を一体に有している。
この結合リング７０は、図４，図５及び図８に示しているようにインナータンク１４に設けた凹陥部７２の底部から立ち上がる棒状の爪７４に嵌合して、オーバーフロー管４８の上端部をインナータンク１４に固定し、オーバーフロー管４８のぐらつきを防止する作用をなす。
ここで爪７４はインナータンク１４に一体に成形されている。
【００３３】
本例の洗浄タンク装置にあっては、図１〜図３に示しているように、補給水管５２の先端部をホルダ５４における第１ホルダ部５８に嵌め合せておくことで、即ち第１ホルダ部５８により補給水管５２の先端部を保持しておくことで、ボールタップ２２から流出した補給水を、補給水管５２を通じオーバーフロー管４８内に流入させることができる。
【００３４】
また一方、補給水管５２の先端部を図９に示しているように第２ホルダ部６０に嵌め込んでおくことで、即ち第２ホルダ部６０により補給水管５２の先端部を保持しておくことで、ボールタップ２２からの補給水を、補給水管５２を通じオーバーフロー管４８外部且つ洗浄タンク１０内部に給水することができる。
【００３５】
このとき補給水管５２から流出した補給水は、第２ホルダ部６０の下端の開口６０Ａより流出した後、案内片６８に沿って静かに流れ落ちる。
【００３６】
上記のように本例の洗浄タンク装置は、オーバーフロー管４８の上部をホルダ５４により洗浄タンク１０の壁部に固定するようになしたものであることから、オーバーフロー管４８を洗浄タンク１０内部においてしっかりと起立した状態に保持しておくことができ、オーバーフロー管４８が洗浄タンク１０内部でぐらつくのを良好に防止することができる。
【００３７】
特に本例の洗浄タンク装置はオーバーフロー管４８が下端部において洗浄タンク１０底部の差込孔７６内に差込固定されている形態のものであるため、オーバーフロー管４８のぐらつきに起因してその差込部分において漏水を生じるのを効果的に防止することができる。
【００３８】
また本例ではホルダ５４には結合リング７０を設けておく一方、洗浄タンク１０の壁部に爪７４を起立状態で設けて、それらを嵌め合せるようにしてあり、従ってオーバーフロー管４８の上部をホルダ５４を介し洗浄タンク１０の壁部に簡単に固定することができる。
【００３９】
更に本例では補給水管５２の先端部を保持するホルダ５４にて固定部材を兼用させるようになしていることから、洗浄タンク装置における必要部品点数を少なくし得て全体のコストを低減することができる。
【００４０】
加えて本例では洗浄タンク１０をアウタータンク１２と樹脂製のインナータンク１４との二重タンク構造となしてそのインナータンク１４に爪７４を一体成形で容易に形成しておくことができる。
【００４１】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である洗浄タンク装置を示す正面断面図である。
【図２】  同じ実施例の洗浄タンク装置の平面図である。
【図３】  同じ実施例の洗浄タンク装置の要部側面図である。
【図４】  同じ実施例の洗浄タンク装置におけるホルダとその周辺部を示す斜視図である。
【図５】  図４のホルダをオーバーフロー管から取り外した状態で示す斜視図である。
【図６】  図４及び図５のホルダをオーバーフロー管に装着した状態で周辺部とともに示す断面図である。
【図７】  図４〜図６のホルダの構成を示す図である。
【図８】  図４〜図７のホルダをオーバーフロー管から取り外した状態で補給水管とともに示す図である。
【図９】  同じ実施例の補給水管をホルダの第２ホルダ部に嵌め合せた状態を示す平面図である。
【図１０】  従来の洗浄タンク装置を示す正面断面図である。
【符号の説明】
１０  洗浄タンク
１２  アウタータンク
１４  インナータンク
２２  ボールタップ
３２  フロート弁（排水弁）
３６  弁座
４８  オーバーフロー管
５２  補給水管
５４  ホルダ（固定部材）
７０  結合リング
７４  爪
７６  差込孔
【図１】
0003683805.tif 000002
【図２】
0003683805.tif 000003
【図３】
0003683805.tif 000004
【図４】
0003683805.tif 000005
【図５】
0003683805.tif 000006
【図６】
0003683805.tif 000007
【図７】
0003683805.tif 000008
【図８】
0003683805.tif 000009
【図９】
0003683805.tif 000010
【図１０】
0003683805.tif 000011